【手続補正書】
【提出日】平成16年4月9日(2004.4.9)
【手続補正１】
【補正対象書類名】明細書
【補正対象項目名】発明の名称
【補正方法】変更
【補正の内容】
【発明の名称】画像処理装置および画像処理方法


【手続補正２】
【補正対象書類名】明細書
【補正対象項目名】特許請求の範囲
【補正方法】変更
【補正の内容】
【特許請求の範囲】
【請求項１】
記録媒体に画像を出力する画像出力手段と、複数の画像情報を入力する入力手段と、
前記入力手段により入力された画像情報を記憶する記憶手段と、
前記記憶手段に記憶された所定数の原稿画像を選択される記録媒体のサイズに応じて確保されるレイアウト領域に展開させるレイアウトモードを設定する設定手段と、
前記設定手段により前記レイアウトモードが設定された場合に、前記入力手段から入力した画像情報を前記記憶手段に記憶させる際にレイアウトする第１のレイアウトモードと前記記憶手段から読み出した画像情報を前記画像出力手段から出力させる際にレイアウトする第２のレイアウトモードとのいずれかを選択する選択手段と、
前記選択手段の選択結果に基づいて前記第１のレイアウトモードまたは第２のレイアウトモードによるレイアウト処理を切り換え制御する制御手段と、
を有することを特徴とする画像処理装置。
【請求項２】
請求項１記載の画像処理装置であって、
積載されるサイズの異なる複数枚の原稿を順次読取り位置に給送する原稿給送手段と、
前記原稿給送手段から給送される原稿を読み取る画像読取り手段とを備えることを特徴とする画像処理装置。
【請求項３】
請求項２記載の画像処理装置であって、
前記原稿給送手段から給送する原稿枚数を計数する原稿計数モードを設定する原稿計数モード設定手段を有し、
前記選択手段は、前記原稿計数モード設定手段による前記原稿計数モードの設定状態を判別して第１または第２のレイアウトモードのいずれかを選択することを特徴とする画像処理装置。
【請求項４】
請求項３記載の画像処理装置であって、
前記選択手段は、前記原稿計数モード設定手段により前記原稿計数モードが設定されていると判別した場合に、前記第１のレイアウトモードを選択することを特徴とする画像処理装置。
【請求項５】
請求項３記載の画像処理装置であって、
前記選択手段は、前記原稿計数モード設定手段により前記原稿計数モードが設定されていないと判別した場合に、前記第２のレイアウトモードを選択することを特徴とする画像処理装置。
【請求項６】
請求項２記載の画像処理装置であって、
前記原稿給送手段に積載される原稿束中の先頭原稿から給送可能かどうかを識別する識別手段を有し、
前記選択手段は、前記識別手段による識別結果に基づいて第１または第２のレイアウトモードのいずれかを選択することを特徴とする画像処理装置。
【請求項７】
請求項６記載の画像処理装置であって、
前記選択手段は、前記識別手段が原稿給送手段に積載される原稿束中の先頭原稿から給送可能と識別した場合に、第１のレイアウトモードを選択することを特徴とする画像処理装置。
【請求項８】
請求項６記載の画像処理装置であって、
前記選択手段は、前記識別手段が原稿給送手段に積載される原稿束中の先頭原稿から給送不可と識別した場合に、第２のレイアウトモードを選択することを特徴とする画像処理装置。
【請求項９】
請求項２記載の画像処理装置であって、
前記読取り手段より読み取った画像の画像方向を検知する画像方向検知手段と、
前記画像方向検知手段の検知結果に応じて、前記レイアウトモードの画像レイアウト順を制御する第１の制御モードと前記画像方向検知手段の検知結果によらず、前記レイアウトモードの画像レイアウト順を制御する第２の制御モードとを指定する指定手段と、
前記指定手段に応じて、前記第１のレイアウトモードと第２のレイアウトモードの何れかを選択する選択手段と、
を有することを特徴とする画像処理装置。
【請求項１０】
記録媒体に画像を出力する画像出力手段と、複数の画像情報を入力する入力手段と、
前記入力手段により入力された画像情報を記憶する記憶手段とを有する画像処理装置における画像処理方法において、
前記記憶手段に記憶された所定数の画像情報を選択される記録媒体のサイズに応じて確保されるレイアウト領域に展開させるレイアウトモードを設定する設定工程と、
前記レイアウトモードが設定された場合に、前記入力手段が読み取った画像情報を前記記憶手段に記憶させる際にレイアウトする第１のレイアウトモードと、前記記憶手段から読み出した画像情報を前記画像出力手段から出力させる際にレイアウトする第２のレイアウトモードとのいずれかを選択する選択工程と、該選択結果に基づいて前記第１のレイアウトモードまたは第２のレイアウトモードにより前記画像情報を前記画像出力手段からレイアウト出力させるレイアウト工程と、
を有することを特徴とする画像処理方法。
【請求項１１】
複数ページの原稿画像データを記憶可能な記憶手段を有し、且つ、複数ページの原稿画像データが１枚の用紙にプリントされるようにレイアウト処理が施された画像データを該１枚の用紙に対してプリント可能な画像処理装置であって、
前記レイアウト処理を実行せずに前記記憶手段に原稿画像データを記憶させる指定を行う設定手段と、
前記設定手段により前記指定がなされた場合に、前記レイアウト処理を実行せずに前記記憶手段に原稿画像データを記憶して、前記記憶手段に該原稿画像データを記憶した後にレイアウト処理を実行し、そのうえで、１枚の用紙に該レイアウト処理が施された画像データをプリント可能にし、
前記設定手段を介して前記指定がなされていない場合に、前記レイアウト処理が施された画像データを前記記憶手段に記憶して、前記記憶手段に該画像データを記憶した後はレイアウト処理を実行せずに、前記記憶手段の該画像データを１枚の用紙にプリント可能にする制御手段と、
を有することを特徴とする画像処理装置。
【請求項１２】
複数ページの原稿画像データを記憶可能な記憶手段を有し、且つ、複数ページの原稿画像データが１枚の用紙にプリントされるようにレイアウト処理が施された画像データを該１枚の用紙に対してプリント可能な画像処理装置であって、
操作部を介して操作者により原稿の出力枚数を指定する為の操作を受付ける設定手段と、
前記操作部を介して原稿の出力枚数を指定する為の操作がなされていない場合に、前記レイアウト処理を実行せずに前記記憶手段に原稿画像データを記憶して、前記記憶手段に該原稿画像データを記憶した後にレイアウト処理を実行し、そのうえで、１枚の用紙に該レイアウト処理が施された画像データをプリント可能にし、
前記操作部を介して原稿の出力枚数を指定する為の操作がなされた場合に、前記レイアウト処理が施された画像データを前記記憶手段に記憶して、前記記憶手段に該画像データを記憶した後は前記レイアウト処理を実行せずに、前記記憶手段の該画像データを１枚の用紙にプリント可能にする制御手段と、
を有することを特徴とする画像処理装置。
【請求項１３】
複数ページの原稿画像データを記憶可能な記憶手段を有し、且つ、複数ページの原稿画像データが１枚の用紙にプリントされるようにレイアウト処理が施された画像データを該１枚の用紙に対してプリント可能な画像処理装置であって、
処理すべき原稿の枚数をカウントする原稿枚数カウントモードを設定する設定手段と、
前記設定手段により前記原稿枚数カウントモードが設定されていない場合に、前記レイアウト処理を実行せずに前記記憶手段に原稿画像データを記憶して、前記記憶手段に該原稿画像データを記憶した後にレイアウト処理を実行し、そのうえで、１枚の用紙に該レイアウト処理が施された画像データをプリント可能にし、
前記設定手段により前記原稿枚数カウントモードが設定された場合に、前記レイアウト処理が施された画像データを前記記憶手段に記憶して、前記記憶手段に該画像データを記憶した後は前記レイアウト処理を実行せずに、前記記憶手段の該画像データを１枚の用紙にプリント可能にする制御手段と、
を有することを特徴とする画像処理装置。
【請求項１４】
複数ページの原稿画像データを記憶可能な記憶手段を有し、且つ、複数ページの原稿画像データが１枚の用紙にプリントされるようにレイアウト処理が施された画像データを該１枚の用紙に対してプリント可能な画像処理装置であって、
複数ページの原稿画像データを操作者からの指示により１枚ずつ入力する圧板モードを実行可能な圧板モード実行手段と、
前記圧板モードを実行しない場合に、前記レイアウト処理を実行せずに前記記憶手段に原稿画像データを記憶して、前記記憶手段に該原稿画像データを記憶した後にレイアウト処理を実行し、そのうえで、１枚の用紙に該レイアウト処理が施された画像データをプリント可能にし、
前記圧板モードを実行する場合に、前記レイアウト処理が施された画像データを前記記憶手段に記憶して、前記記憶手段に該画像データを記憶した後は前記レイアウト処理を実行せずに、前記記憶手段の該画像データを１枚の用紙にプリント可能にする制御手段と、
を有することを特徴とする画像処理装置。
【請求項１５】
複数ページの原稿画像データを記憶可能な記憶手段を有し、且つ、複数ページの原稿画像データが１枚の用紙にプリントされるようにレイアウト処理が施された画像データを該１枚の用紙に対してプリント可能な画像処理装置であって、
複数ページの原稿画像データを連続して読取可能な原稿搬送装置を有し、
前記原稿搬送装置により前記複数ページの原稿画像を先頭ページから順番に読取ることが出来ない場合に、前記レイアウト処理を実行せずに前記記憶手段に原稿画像データを記憶して、前記記憶手段に該原稿画像データを記憶した後にレイアウト処理を実行し、そのうえで、１枚の用紙に該レイアウト処理が施された画像データをプリント可能にし、
前記原稿搬送装置により前記複数ページの原稿画像を先頭ページから順番に読取ることが出来る場合に、前記レイアウト処理が施された画像データを前記記憶手段に記憶して、前記記憶手段に該画像データを記憶した後は前記レイアウト処理を実行せずに、前記記憶手段の該画像データを１枚の用紙にプリント可能にする制御手段と、
を有することを特徴とする画像処理装置。
【請求項１６】
請求項１１乃至１５の何れかに記載の画像処理装置であって、
原稿画像データの画像方向を判別する画像方向判定手段を有し、
前記レイアウト処理を実行可能とし、且つ、前記画像方向判定手段による判定結果に基づいて画像データの回転処理を可能とすることを特徴とする画像処理装置。
【請求項１７】
請求項１６に記載の画像処理装置であって、
前記画像方向判定手段は、画像方向を判別するうえで、文字認識処理を実行することを特徴とする画像処理装置。
【請求項１８】
請求項１１乃至１７の何れかに記載の画像処理装置であって、
前記レイアウト処理を実行したうえで前記記憶手段に該レイアウト処理が施された画像データを記憶する場合に、該レイアウト処理が施された画像データを前記記憶手段に記憶させると共に、該レイアウト処理が施された画像データをプリントさせることを特徴とする画像処理装置。
【請求項１９】
請求項１１乃至１８の何れかに記載の画像処理装置であって、
プリント処理がなされたレイアウト処理済の画像データは前記記憶手段に保持しておき、複数部数分のプリントを行う際に、前記記憶手段から読み出して繰り返し利用可能にすることを特徴とする画像処理装置。
【請求項２０】
請求項１１乃至１８の何れかに記載の画像処理装置であって、
前記記憶手段はハードディスクを含むことを特徴とする画像処理装置。
【請求項２１】
請求項１１乃至２０の何れかに記載の画像処理装置であって、
前記画像処理装置は、コンピュータから出力された画像データを入力する外部Ｉ／Ｆ処理手段を有し、該コンピュータから出力された画像データを前記記憶手段を介してプリント可能とすることを特徴とする画像処理装置。
【請求項２２】
請求項１１乃至２１の何れかに記載の画像処理装置であって、
前記画像処理装置は、スキャナで読取った画像データを前記記憶手段を介してプリント可能なコピー機能と、コンピュータから出力された画像データを前記記憶手段を介してプリント可能なプリント機能とを、具備することを特徴とする画像処理装置。
【請求項２３】
複数ページの原稿画像データを記憶可能な記憶手段を有し、且つ、複数ページの原稿画像データが１枚の用紙にプリントされるようにレイアウト処理が施された画像データを該１枚の用紙に対してプリント可能な画像処理装置に適した画像処理方法であって、
前記レイアウト処理を実行せずに前記記憶手段に原稿画像データを記憶させる指定を行う設定ステップと、
前記設定ステップで前記指定がなされた場合に、前記レイアウト処理を実行せずに前記記憶手段に原稿画像データを記憶して、前記記憶手段に該原稿画像データを記憶した後にレイアウト処理を実行し、そのうえで、１枚の用紙に該レイアウト処理が施された画像データをプリントするよう動作させ、
前記設定ステップで前記指定がなされていない場合に、前記レイアウト処理が施された画像データを前記記憶手段に記憶して、前記記憶手段に該画像データを記憶した後はレイアウト処理を実行せずに、前記記憶手段の該画像データを１枚の用紙にプリントするよう動作させる制御ステップ、
を有することを特徴とする画像処理方法。
【請求項２４】
複数ページの原稿画像データを記憶可能な記憶手段を有し、且つ、複数ページの原稿画像データが１枚の用紙にプリントされるようにレイアウト処理が施された画像データを該１枚の用紙に対してプリント可能な画像処理装置に適した画像処理方法であって、
操作部を介して操作者により原稿の出力枚数を指定する為の操作を受付ける設定ステップと、
前記操作部を介して原稿の出力枚数を指定する為の操作がなされていない場合に、前記レイアウト処理を実行せずに前記記憶手段に原稿画像データを記憶して、前記記憶手段に該原稿画像データを記憶した後にレイアウト処理を実行し、そのうえで、１枚の用紙に該レイアウト処理が施された画像データをプリントするよう動作させ、
前記操作部を介して原稿の出力枚数を指定する為の操作がなされた場合に、前記レイアウト処理が施された画像データを前記記憶手段に記憶して、前記記憶手段に該画像データを記憶した後は前記レイアウト処理を実行せずに、前記記憶手段の該画像データを１枚の用紙にプリントするよう動作させる制御ステップと、
を有することを特徴とする画像処理方法。
【請求項２５】
複数ページの原稿画像データを記憶可能な記憶手段を有し、且つ、複数ページの原稿画像データが１枚の用紙にプリントされるようにレイアウト処理が施された画像データを該１枚の用紙に対してプリント可能な画像処理装置に適した画像処理方法であって、
処理すべき原稿の枚数をカウントする原稿枚数カウントモードを設定する設定ステップと、
前記設定ステップにて前記原稿枚数カウントモードが設定されていない場合に、前記レイアウト処理を実行せずに前記記憶手段に原稿画像データを記憶して、前記記憶手段に該原稿画像データを記憶した後にレイアウト処理を実行し、そのうえで、１枚の用紙に該レイアウト処理が施された画像データをプリントするよう動作させ、
前記設定ステップにて前記原稿枚数カウントモードが設定された場合に、前記レイアウト処理が施された画像データを前記記憶手段に記憶して、前記記憶手段に該画像データを記憶した後は前記レイアウト処理を実行せずに、前記記憶手段の該画像データを１枚の用紙にプリントするよう動作させる制御ステップと、
を有することを特徴とする画像処理方法。
【請求項２６】
複数ページの原稿画像データを記憶可能な記憶手段を有し、且つ、複数ページの原稿画像データが１枚の用紙にプリントされるようにレイアウト処理が施された画像データを該１枚の用紙に対してプリント可能な画像処理装置に適した画像処理方法であって、
複数ページの原稿画像データを操作者からの指示により１枚ずつ入力する圧板モードを実行しない場合に、前記レイアウト処理を実行せずに前記記憶手段に原稿画像データを記憶して、前記記憶手段に該原稿画像データを記憶した後にレイアウト処理を実行し、そのうえで、１枚の用紙に該レイアウト処理が施された画像データをプリントするよう動作させ、
前記圧板モードを実行する場合に、前記レイアウト処理が施された画像データを前記記憶手段に記憶して、前記記憶手段に該画像データを記憶した後は前記レイアウト処理を実行せずに、前記記憶手段の該画像データを１枚の用紙にプリントするよう動作させることを特徴とする画像処理方法。
【請求項２７】
複数ページの原稿画像データを記憶可能な記憶手段を有し、且つ、複数ページの原稿画像データが１枚の用紙にプリントされるようにレイアウト処理が施された画像データを該１枚の用紙に対してプリント可能な画像処理装置に適した画像処理方法であって、
複数ページの原稿画像データを連続して読取可能な原稿搬送装置により前記複数ページの原稿画像を先頭ページから順番に読取ることが出来ない場合に、前記レイアウト処理を実行せずに前記記憶手段に原稿画像データを記憶して、前記記憶手段に該原稿画像データを記憶した後にレイアウト処理を実行し、そのうえで、１枚の用紙に該レイアウト処理が施された画像データをプリントするよう動作させ、
前記原稿搬送装置により前記複数ページの原稿画像を先頭ページから順番に読取ることが出来る場合に、前記レイアウト処理が施された画像データを前記記憶手段に記憶して、前記記憶手段に該画像データを記憶した後は前記レイアウト処理を実行せずに、前記記憶手段の該画像データを１枚の用紙にプリントするよう動作させることを特徴とする画像処理方法。
【請求項２８】
請求項２３乃至２７の何れかに記載の画像処理方法であって、
前記画像処理装置は、原稿画像データの画像方向を判別する画像方向判定手段を有し、前記レイアウト処理を実行可能とし、且つ、前記画像方向判定手段による判定結果に基づいて画像データの回転処理を可能とすることを特徴とする画像処理方法。
【請求項２９】
請求項２８に記載の画像処理方法であって、
前記画像方向判定手段は、画像方向を判別するうえで、文字認識処理を実行することを特徴とする画像処理方法。
【請求項３０】
請求項２３乃至２９の何れかに記載の画像処理方法であって、
前記レイアウト処理を実行したうえで前記記憶手段に該レイアウト処理が施された画像データを記憶する場合に、該レイアウト処理が施された画像データを前記記憶手段に記憶させると共に、該レイアウト処理が施された画像データをプリントさせることを特徴とする画像処理方法。
【請求項３１】
請求項２３乃至３０の何れかに記載の画像処理方法であって、
プリント処理がなされたレイアウト処理済の画像データは前記記憶手段に保持しておき、複数部数分のプリントを行う際に、前記記憶手段から読み出して繰り返し利用可能にすることを特徴とする画像処理方法。
【請求項３２】
請求項２３乃至３１の何れかに記載の画像処理方法であって、前記記憶手段はハードディスクを含むことを特徴とする画像処理方法。
【請求項３３】
請求項２３乃至３２の何れかに記載の画像処理方法であって、
前記画像処理装置は、コンピュータから出力された画像データを入力する外部Ｉ／Ｆ処理手段を有し、該コンピュータから出力された画像データを前記記憶手段を介してプリント可能とすることを特徴とする画像処理方法。
【請求項３４】
請求項２３乃至３３の何れかに記載の画像処理方法であって、
前記画像処理装置は、スキャナで読取った画像データを前記記憶手段を介してプリント可能なコピー機能と、コンピュータから出力された画像データを前記記憶手段を介してプリント可能なプリント機能とを、具備することを特徴とする画像処理方法。
【手続補正３】
【補正対象書類名】明細書
【補正対象項目名】０００１
【補正方法】変更
【補正の内容】
【０００１】
【発明の属する技術分野】
本発明は、複数枚の原稿画像を読み取ってメモリ上でレイアウト編集しながら画像出力可能な画像処理装置および画像処理方法に関するものである。


【手続補正４】
【補正対象書類名】明細書
【補正対象項目名】０００６
【補正方法】変更
【補正の内容】
【０００６】
本発明は、上記の問題点を解決するためになされたもので、本発明の目的は、読み取った原稿画像をメモリ資源に記憶させる際にレイアウトする第１のレイアウトモードと、メモリ資源から読み出した原稿画像を前記画像出力手段から出力させる際にレイアウトする第２のレイアウトモードとを自動選択して第１のレイアウトモードまたは第２のレイアウトモードによるレイアウト処理を切り換え制御することにより、あるいは原稿画像の方向を判定して原稿画像をレイアウトするモードとそれ以外のモードの指定状態に基づいて第１のレイアウトモードまたは第２のレイアウトモードによるレイアウト処理を切り換え制御することにより、原稿画像の方向に左右されずに、原稿画像読取り後のレイアウト変更に柔軟に対応するという要求と、原稿給送される原稿画像のレイアウト出力を高速に得るという要求との双方を自在に切り換えながら効率よく画像処理を行える画像処理装置および画像処理方法を提供することを目的とする。


【手続補正５】
【補正対象書類名】明細書
【補正対象項目名】００１６
【補正方法】変更
【補正の内容】
【００１６】
本発明に係る第１０の発明は、記録媒体に画像を出力する画像出力手段と、複数の画像情報を入力する入力手段と、前記入力手段により入力された画像情報を記憶する記憶手段とを有する画像処理装置のレイアウト処理方法において、前記記憶手段に記憶された所定数の原稿画像を選択される記録媒体のサイズに応じて確保されるレイアウト領域に展開させるレイアウトモードを設定する設定工程と、前記レイアウトモードが設定された場合に、前記入力手段が読み取った画像情報を前記記憶手段に記憶させる際にレイアウトする第１のレイアウトモードと前記記憶手段から読み出した画像情報を前記画像出力手段から出力させる際にレイアウトする第２のレイアウトモードとのいずれかを選択する選択工程と、該選択結果に基づいて前記第１のレイアウトモードまたは第２のレイアウトモードにより前記原稿画像を前記画像出力手段からレイアウト出力させるレイアウト工程とを有するものである。
本発明に係る第１１の発明は、複数ページの原稿画像データを記憶可能な記憶手段を有し、且つ、複数ページの原稿画像データが１枚の用紙にプリントされるようにレイアウト処理が施された画像データを該１枚の用紙に対してプリント可能な画像処理装置であって、前記レイアウト処理を実行せずに前記記憶手段に原稿画像データを記憶させる指定を行う設定手段と、前記設定手段により前記指定がなされた場合に、前記レイアウト処理を実行せずに前記記憶手段に原稿画像データを記憶して、前記記憶手段に該原稿画像データを記憶した後にレイアウト処理を実行し、そのうえで、１枚の用紙に該レイアウト処理が施された画像データをプリント可能にし、前記設定手段を介して前記指定がなされていない場合に、前記レイアウト処理が施された画像データを前記記憶手段に記憶して、前記記憶手段に該画像データを記憶した後はレイアウト処理を実行せずに、前記記憶手段の該画像データを１枚の用紙にプリント可能にする制御手段とを有することを特徴とする。
本発明に係る第１２の発明は、複数ページの原稿画像データを記憶可能な記憶手段を有し、且つ、複数ページの原稿画像データが１枚の用紙にプリントされるようにレイアウト処理が施された画像データを該１枚の用紙に対してプリント可能な画像処理装置であって、操作部を介して操作者により原稿の出力枚数を指定する為の操作を受付ける設定手段と、前記操作部を介して原稿の出力枚数を指定する為の操作がなされていない場合に、前記レイアウト処理を実行せずに前記記憶手段に原稿画像データを記憶して、前記記憶手段に該原稿画像データを記憶した後にレイアウト処理を実行し、そのうえで、１枚の用紙に該レイアウト処理が施された画像データをプリント可能にし、前記操作部を介して原稿の出力枚数を指定する為の操作がなされた場合に、前記レイアウト処理が施された画像データを前記記憶手段に記憶して、前記記憶手段に該画像データを記憶した後は前記レイアウト処理を実行せずに、前記記憶手段の該画像データを１枚の用紙にプリント可能にする制御手段と、
を有することを特徴とする。
本発明に係る第１３の発明は、複数ページの原稿画像データを記憶可能な記憶手段を有し、且つ、複数ページの原稿画像データが１枚の用紙にプリントされるようにレイアウト処理が施された画像データを該１枚の用紙に対してプリント可能な画像処理装置であって、処理すべき原稿の枚数をカウントする原稿枚数カウントモードを設定する設定手段と、前記設定手段により前記原稿枚数カウントモードが設定されていない場合に、前記レイアウト処理を実行せずに前記記憶手段に原稿画像データを記憶して、前記記憶手段に該原稿画像データを記憶した後にレイアウト処理を実行し、そのうえで、１枚の用紙に該レイアウト処理が施された画像データをプリント可能にし、前記設定手段により前記原稿枚数カウントモードが設定された場合に、前記レイアウト処理が施された画像データを前記記憶手段に記憶して、前記記憶手段に該画像データを記憶した後は前記レイアウト処理を実行せずに、前記記憶手段の該画像データを１枚の用紙にプリント可能にする制御手段とを有することを特徴とする。
本発明に係る第１４の発明は、複数ページの原稿画像データを記憶可能な記憶手段を有し、且つ、複数ページの原稿画像データが１枚の用紙にプリントされるようにレイアウト処理が施された画像データを該１枚の用紙に対してプリント可能な画像処理装置であって、複数ページの原稿画像データを操作者からの指示により１枚ずつ入力する圧板モードを実行可能な圧板モード実行手段と、前記圧板モードを実行しない場合に、前記レイアウト処理を実行せずに前記記憶手段に原稿画像データを記憶して、前記記憶手段に該原稿画像データを記憶した後にレイアウト処理を実行し、そのうえで、１枚の用紙に該レイアウト処理が施された画像データをプリント可能にし、前記圧板モードを実行する場合に、前記レイアウト処理が施された画像データを前記記憶手段に記憶して、前記記憶手段に該画像データを記憶した後は前記レイアウト処理を実行せずに、前記記憶手段の該画像データを１枚の用紙にプリント可能にする制御手段とを有することを特徴とする。
本発明に係る第１５の発明は、複数ページの原稿画像データを記憶可能な記憶手段を有し、且つ、複数ページの原稿画像データが１枚の用紙にプリントされるようにレイアウト処理が施された画像データを該１枚の用紙に対してプリント可能な画像処理装置であって、複数ページの原稿画像データを連続して読取可能な原稿搬送装置を有し、前記原稿搬送装置により前記複数ページの原稿画像を先頭ページから順番に読取ることが出来ない場合に、前記レイアウト処理を実行せずに前記記憶手段に原稿画像データを記憶して、前記記憶手段に該原稿画像データを記憶した後にレイアウト処理を実行し、そのうえで、１枚の用紙に該レイアウト処理が施された画像データをプリント可能にし、前記原稿搬送装置により前記複数ページの原稿画像を先頭ページから順番に読取ることが出来る場合に、前記レイアウト処理が施された画像データを前記記憶手段に記憶して、前記記憶手段に該画像データを記憶した後は前記レイアウト処理を実行せずに、前記記憶手段の該画像データを１枚の用紙にプリント可能にする制御手段とを有することを特徴とする。
本発明に係る第１６の発明は、原稿画像データの画像方向を判別する画像方向判定手段を有し、前記レイアウト処理を実行可能とし、且つ、前記画像方向判定手段による判定結果に基づいて画像データの回転処理を可能とすることを特徴とする。
本発明に係る第１７の発明は、前記画像方向判定手段は、画像方向を判別するうえで、文字認識処理を実行することを特徴とする。
本発明に係る第１８の発明は、前記レイアウト処理を実行したうえで前記記憶手段に該レイアウト処理が施された画像データを記憶する場合に、該レイアウト処理が施された画像データを前記記憶手段に記憶させると共に、該レイアウト処理が施された画像データをプリントさせることを特徴とする。
本発明に係る第１９の発明は、プリント処理がなされたレイアウト処理済の画像データは前記記憶手段に保持しておき、複数部数分のプリントを行う際に、前記記憶手段から読み出して繰り返し利用可能にすることを特徴とする。
本発明に係る第２０の発明は、前記記憶手段はハードディスクを含むことを特徴とする。
本発明に係る第２１の発明は、前記画像処理装置は、コンピュータから出力された画像データを入力する外部Ｉ／Ｆ処理手段を有し、該コンピュータから出力された画像データを前記記憶手段を介してプリント可能とすることを特徴とする。
本発明に係る第２２の発明は、前記画像処理装置は、スキャナで読取った画像データを前記記憶手段を介してプリント可能なコピー機能と、コンピュータから出力された画像データを前記記憶手段を介してプリント可能なプリント機能とを、具備することを特徴とする。
本発明に係る第２３の発明は、複数ページの原稿画像データを記憶可能な記憶手段を有し、且つ、複数ページの原稿画像データが１枚の用紙にプリントされるようにレイアウト処理が施された画像データを該１枚の用紙に対してプリント可能な画像処理装置に適した画像処理方法であって、前記レイアウト処理を実行せずに前記記憶手段に原稿画像データを記憶させる指定を行う設定ステップと、前記設定ステップで前記指定がなされた場合に、前記レイアウト処理を実行せずに前記記憶手段に原稿画像データを記憶して、前記記憶手段に該原稿画像データを記憶した後にレイアウト処理を実行し、そのうえで、１枚の用紙に該レイアウト処理が施された画像データをプリントするよう動作させ、前記設定ステップで前記指定がなされていない場合に、前記レイアウト処理が施された画像データを前記記憶手段に記憶して、前記記憶手段に該画像データを記憶した後はレイアウト処理を実行せずに、前記記憶手段の該画像データを１枚の用紙にプリントするよう動作させる制御ステップを有することを特徴とする。
本発明に係る第２４の発明は、複数ページの原稿画像データを記憶可能な記憶手段を有し、且つ、複数ページの原稿画像データが１枚の用紙にプリントされるようにレイアウト処理が施された画像データを該１枚の用紙に対してプリント可能な画像処理装置に適した画像処理方法であって、操作部を介して操作者により原稿の出力枚数を指定する為の操作を受付ける設定ステップと、前記操作部を介して原稿の出力枚数を指定する為の操作がなされていない場合に、前記レイアウト処理を実行せずに前記記憶手段に原稿画像データを記憶して、前記記憶手段に該原稿画像データを記憶した後にレイアウト処理を実行し、そのうえで、１枚の用紙に該レイアウト処理が施された画像データをプリントするよう動作させ、前記操作部を介して原稿の出力枚数を指定する為の操作がなされた場合に、前記レイアウト処理が施された画像データを前記記憶手段に記憶して、前記記憶手段に該画像データを記憶した後は前記レイアウト処理を実行せずに、前記記憶手段の該画像データを１枚の用紙にプリントするよう動作させる制御ステップとを有することを特徴とする。
本発明に係る第２５の発明は、複数ページの原稿画像データを記憶可能な記憶手段を有し、且つ、複数ページの原稿画像データが１枚の用紙にプリントされるようにレイアウト処理が施された画像データを該１枚の用紙に対してプリント可能な画像処理装置に適した画像処理方法であって、処理すべき原稿の枚数をカウントする原稿枚数カウントモードを設定する設定ステップと、前記設定ステップにて前記原稿枚数カウントモードが設定されていない場合に、前記レイアウト処理を実行せずに前記記憶手段に原稿画像データを記憶して、前記記憶手段に該原稿画像データを記憶した後にレイアウト処理を実行し、そのうえで、１枚の用紙に該レイアウト処理が施された画像データをプリントするよう動作させ、前記設定ステップにて前記原稿枚数カウントモードが設定された場合に、前記レイアウト処理が施された画像データを前記記憶手段に記憶して、前記記憶手段に該画像データを記憶した後は前記レイアウト処理を実行せずに、前記記憶手段の該画像データを１枚の用紙にプリントするよう動作させる制御ステップとを有することを特徴とする。
本発明に係る第２６の発明は、複数ページの原稿画像データを記憶可能な記憶手段を有し、且つ、複数ページの原稿画像データが１枚の用紙にプリントされるようにレイアウト処理が施された画像データを該１枚の用紙に対してプリント可能な画像処理装置に適した画像処理方法であって、複数ページの原稿画像データを操作者からの指示により１枚ずつ入力する圧板モードを実行しない場合に、前記レイアウト処理を実行せずに前記記憶手段に原稿画像データを記憶して、前記記憶手段に該原稿画像データを記憶した後にレイアウト処理を実行し、そのうえで、１枚の用紙に該レイアウト処理が施された画像データをプリントするよう動作させ、前記圧板モードを実行する場合に、前記レイアウト処理が施された画像データを前記記憶手段に記憶して、前記記憶手段に該画像データを記憶した後は前記レイアウト処理を実行せずに、前記記憶手段の該画像データを１枚の用紙にプリントするよう動作させることを特徴とする。
本発明に係る第２７の発明は、複数ページの原稿画像データを記憶可能な記憶手段を有し、且つ、複数ページの原稿画像データが１枚の用紙にプリントされるようにレイアウト処理が施された画像データを該１枚の用紙に対してプリント可能な画像処理装置に適した画像処理方法であって、複数ページの原稿画像データを連続して読取可能な原稿搬送装置により前記複数ページの原稿画像を先頭ページから順番に読取ることが出来ない場合に、前記レイアウト処理を実行せずに前記記憶手段に原稿画像データを記憶して、前記記憶手段に該原稿画像データを記憶した後にレイアウト処理を実行し、そのうえで、１枚の用紙に該レイアウト処理が施された画像データをプリントするよう動作させ、前記原稿搬送装置により前記複数ページの原稿画像を先頭ページから順番に読取ることが出来る場合に、前記レイアウト処理が施された画像データを前記記憶手段に記憶して、前記記憶手段に該画像データを記憶した後は前記レイアウト処理を実行せずに、前記記憶手段の該画像データを１枚の用紙にプリントするよう動作させることを特徴とする。
本発明に係る第２８の発明は、前記画像処理装置は、原稿画像データの画像方向を判別する画像方向判定手段を有し、前記レイアウト処理を実行可能とし、且つ、前記画像方向判定手段による判定結果に基づいて画像データの回転処理を可能とすることを特徴とする画像処理方法。
本発明に係る第２９の発明は、前記画像方向判定手段は、画像方向を判別するうえで、文字認識処理を実行することを特徴とする。
本発明に係る第３０の発明は、前記レイアウト処理を実行したうえで前記記憶手段に該レイアウト処理が施された画像データを記憶する場合に、該レイアウト処理が施された画像データを前記記憶手段に記憶させると共に、該レイアウト処理が施された画像データをプリントさせることを特徴とする。
本発明に係る第３１の発明は、プリント処理がなされたレイアウト処理済の画像データは前記記憶手段に保持しておき、複数部数分のプリントを行う際に、前記記憶手段から読み出して繰り返し利用可能にすることを特徴とする。
本発明に係る第３２の発明は、前記記憶手段はハードディスクを含むことを特徴とする。
本発明に係る第３３の発明は、前記画像処理装置は、コンピュータから出力された画像データを入力する外部Ｉ／Ｆ処理手段を有し、該コンピュータから出力された画像データを前記記憶手段を介してプリント可能とすることを特徴とする。
本発明に係る第３４の発明は、前記画像処理装置は、スキャナで読取った画像データを前記記憶手段を介してプリント可能なコピー機能と、コンピュータから出力された画像データを前記記憶手段を介してプリント可能なプリント機能とを、具備することを特徴とする。


【手続補正６】
【補正対象書類名】明細書
【補正対象項目名】０１４３
【補正方法】変更
【補正の内容】
【０１４３】
【発明の効果】
以上説明したように、本発明によれば、画像入力後のレイアウト変更に柔軟に対応するという要求と、原稿画像のレイアウト出力を高速に得るという要求との双方を自在に切り換えながら効率よく画像処理を行える。
また、原稿枚数を計数するモードに最適なレイアウトモードとして第１のレイアウトモードを優先選択して、ユーザが意図する原稿画像のレイアウト出力を高速に得ることも、読み込んだ原稿画像のレイアウトを変更した出力を得ることもできる。
さらに、原稿給送装置が先頭原稿を給送可能か否かを識別して最適なレイアウトモードとして第１のレイアウトモードを優先選択して、ユーザが意図する原稿画像のレイアウト出力を高速に得ることも、読み込んだ原稿画像のレイアウトを変更した出力を得ることもできる。
また、方向検知結果に応じてレイアウト順が制御される場合には、レイアウトを柔軟にコントロールでき、レイアウト順が既に決定されている場合には、高速制御および記憶手段における使用量の節約ができる。


【手続補正７】
【補正対象書類名】明細書
【補正対象項目名】０１４４
【補正方法】削除
【補正の内容】
【手続補正８】
【補正対象書類名】明細書
【補正対象項目名】０１４５
【補正方法】削除
【補正の内容】
【手続補正９】
【補正対象書類名】明細書
【補正対象項目名】０１４６
【補正方法】削除
【補正の内容】